(57)【要約】  複数個のスリーブポート（２３）を有するスリーブバルブ（１３）を、シリンダ（１０）の軸に沿って摺動させまたその軸を中心に回転させる。シリンダ（１０）と協働して燃焼室を形成するピストン（１４）を、スリーブバルブ（１３）ひいてはシリンダ（１０）内で往復運動させる。スリーブバルブ駆動機構（２４，２５，２６，２７，２８，２９，３０，３１）は、ピストン（１４）のシリンダ（１０）内往復運動に同期しシリンダ（１０）内でスリーブバルブ（１３）を軸方向摺動及び軸心回転させる。スリーブバルブ（１３）がストローク毎に到達乃至通過する２個の折り返し点の位置は、スリーブバルブ駆動機構（２４，２５，２６，２７，２８，２９，３０，３１）によるスリーブバルブ（１３）の駆動によって変化する。
2009516124.tif 000002
【特許請求の範囲】
【請求項１】
シリンダヘッド及びそのシリンダヘッドから延びるシリンダ側壁を有するシリンダであって、シリンダ側壁上の吸気ポートを介し空気を取り入れシリンダ側壁上の排気ポートを介し燃焼生成気体を排出するシリンダと、
複数個のスリーブポートが貫通しておりシリンダ軸沿いに摺動しつつシリンダ軸中心に回動するスリーブバルブであって、吸気ポート及び排気ポートに対するスリーブポートの重なり方をその動きにより変化させることで吸気ポート及び排気ポートを開閉させるスリーブバルブと、
スリーブバルブ内ひいてはシリンダ内で往復運動しシリンダと協働で燃焼室を形成するピストンと、
ピストンのシリンダ内往復運動に同期し駆動することによりシリンダ内でスリーブバルブを軸沿い摺動及び軸心回動させるスリーブバルブ駆動機構と、
を備え、スリーブバルブがストローク毎に到達乃至通過する２個の折り返し点の位置が変化するよう、スリーブバルブ駆動機構がスリーブバルブを駆動するピストン往復型内燃機関。
【請求項２】
請求項１記載のピストン往復型内燃機関であって、スリーブバルブ駆動機構が、
本機関のクランクシャフトに連結されておりクランク運動するシャフトドライブシャフトと、
スリーブドライブシャフトのスロー上に可回動実装されたヨークプレートと、
ヨークプレートをスリーブバルブに連結する連結器と、
ヨークプレートに可枢動連結されたコントロールアームと、
を有し、スリーブバルブが到達乃至通過する２個の折り返し点の位置が変化するよう、ヨークプレートを、コントロールアームの動きによりスリーブドライブシャフトのスローを中心に回動させるピストン往復型内燃機関。
【請求項３】
請求項２記載のピストン往復型内燃機関であって、更に、コントロールシャフトと、コントロールシャフトを軸心回動させる手段と、コントロールシャフトから張り出した状態でコントロールシャフトと一体に回動するようコントロールシャフトに固定されたラジアルアームと、を備え、コントロールアームの一端がヨークプレートにまた他端がラジアルアームにそれぞれ可枢動連結されており、コントロールシャフトを軸心回動させるとコントロールアームが動くピストン往復型内燃機関。
【請求項４】
請求項２又は３記載のピストン往復型内燃機関であって、その運転サイクルが２ストロークサイクルであり、スリーブドライブシャフトが機関運転速度と同速度で回転するピストン往復型内燃機関。
【請求項５】
請求項４記載のピストン往復型内燃機関であって、シリンダが、複数個の吸気ポートがリング状に並ぶ第１の部分と、複数個の排気ポートが並ぶ第２の部分と、を有し、第１の部分と第２の部分のシリンダ軸沿い位置が異なるピストン往復型内燃機関。
【請求項６】
請求項２又は３記載のピストン往復型内燃機関であって、その運転サイクルが４ストロークサイクルであり、スリーブドライブシャフトが機関運転速度の１／２の速度で回転するピストン往復型内燃機関。
【請求項７】
請求項６記載のピストン往復型内燃機関であって、吸気ポート及び排気ポートを含め複数個のポートがシリンダの上部にリング状に並び、それらのポートがシリンダ側壁を貫通するピストン往復型内燃機関。
【請求項８】
請求項１記載のピストン往復型内燃機関であって、スリーブバルブ駆動機構が、電気的に制御されスリーブバルブを往復運動させる少なくとも１個のアクチュエータと、アクチュエータの動作を電気的に制御する制御部と、を有するピストン往復型内燃機関。
【請求項９】
請求項１乃至８のいずれか一項記載のピストン往復型内燃機関であって、シリンダヘッドが、燃焼室内にガソリン燃料を直接噴射するフュエルインジェクタを有するピストン往復型内燃機関。
【請求項１０】
請求項１乃至８のいずれか一項記載のピストン往復型内燃機関であって、その点火方式が圧縮点火方式であり、シリンダヘッド内に、シリンダ内に連通し燃焼室の少なくとも一部として機能する空洞があり、その空洞の形状が、その空洞内に気流の渦をもたらすよう定められており、その渦がフュエルインジェクタによる燃料噴射先となるピストン往復型内燃機関。
【請求項１１】
請求項１０記載のピストン往復型内燃機関であって、シリンダヘッド内の空洞に燃料を噴射するフュエルインジェクタを複数個備えるピストン往復型内燃機関。
【請求項１２】
請求項１乃至１１のいずれか一項記載のピストン往復型内燃機関であって、吸気ポートがシリンダ側壁に複数個あり、シリンダ側壁上の吸気ポート同士及びスリーブ上のスリーブポート同士がブリッジにより分離されており、スリーブバルブ駆動機構によってスリーブバルブの動きを変えることで、吸気ポートに対するスリーブポートの重なり方ひいては燃焼室内に至る空気流入路断面積を変化させるピストン往復型内燃機関。
【請求項１３】
請求項１乃至１２のいずれか一項記載のピストン往復型内燃機関であって、排気ポートがシリンダ側壁に複数個あり、シリンダ側壁上の排気ポート同士及びスリーブ上のスリーブポート同士がブリッジにより分離されており、スリーブバルブ駆動機構によってスリーブバルブの動きを変えることで、排気ポートに対するスリーブポートの重なり方ひいては燃焼室からの燃焼生成気体排出路断面積を変化させるピストン往復型内燃機関。
【請求項１４】
請求項１乃至１３のいずれか一項記載のピストン往復型内燃機関であって、シリンダヘッドをシリンダに対し軸沿い移動させることによりシリンダ内圧縮比を変化させる機構を備えるピストン往復型内燃機関。
【請求項１５】
請求項１乃至１４のいずれか一項記載のピストン往復型内燃機関であって、燃焼室内に流入する気流に渦をもたらす気流案内手段を備えるピストン往復型内燃機関。
【請求項１６】
請求項１５記載のピストン往復型内燃機関であって、気流案内手段が、リング状に複数枚並んだ渦発生用の回転する羽根と、それらの羽根を回転させる制御手段と、を有するピストン往復型内燃機関。
【請求項１７】
請求項１５記載のピストン往復型内燃機関であって、気流案内手段が、それぞれ開口が貫通しており回動させると開口同士の重なり方が変わるようスリーブバルブ半径方向に沿って複数枚同軸配置されたカラーを有し、それらのカラーの開口を通り燃焼室に流入する気流にその開口が渦をもたらすピストン往復型内燃機関。
【請求項１８】
シリンダヘッド及びそのシリンダヘッドから延びるシリンダ側壁を有するシリンダであって、シリンダ側壁上の吸気ポートを介し空気を取り入れシリンダ側壁上の排気ポートを介し燃焼生成気体を排出するシリンダと、
複数個のスリーブポートが貫通しておりシリンダ軸沿いに摺動しつつシリンダ軸中心に回動するスリーブバルブであって、吸気ポート及び排気ポートに対するスリーブポートの重なり方をその動きにより変化させることで吸気ポート及び排気ポートを開閉させるスリーブバルブと、
スリーブバルブ内ひいてはシリンダ内で往復運動しシリンダと協働で燃焼室を形成するピストンと、
ピストンのシリンダ内往復運動に同期し駆動することによりシリンダ内でスリーブバルブを軸沿い摺動及び軸心回動させるスリーブバルブ駆動機構と、
を備え、シリンダヘッド内に、シリンダ内に連通し燃焼室の少なくとも一部として機能する空洞があり、その空洞内にフュエルインジェクタにより燃料が噴射されるディーゼルピストン往復型ディーゼル式内燃機関。
【請求項１９】
請求項１８記載のピストン往復型ディーゼル式内燃機関であって、シリンダヘッド内の空洞の形状が、その内部に気体の渦をもたらすよう定められたピストン往復型ディーゼル式内燃機関。
【請求項２０】
請求項１８又は１９記載のピストン往復型ディーゼル式内燃機関であって、シリンダヘッド内の空洞に燃料を噴射するフュエルインジェクタを複数個備えるピストン往復型ディーゼル式内燃機関。
【請求項２１】
請求項１８乃至２０のいずれか一項記載のピストン往復型ディーゼル式内燃機関であって、シリンダヘッドをシリンダに対し軸沿い移動させることによりシリンダ内圧縮比を変化させる機構を備えるピストン往復型ディーゼル式内燃機関。
【請求項２２】
請求項１８乃至２１のいずれか一項記載のピストン往復型ディーゼル式内燃機関であって、燃焼室内に流入する気流に渦をもたらす気流案内手段を備えるピストン往復型ディーゼル式内燃機関。
【請求項２３】
請求項２２記載のピストン往復型ディーゼル式内燃機関であって、気流案内手段が、リング状に複数枚並んだ渦発生用の回転する羽根と、それらの羽根を回転させる制御手段と、を有するピストン往復型ディーゼル式内燃機関。
【請求項２４】
請求項２２記載のピストン往復型ディーゼル式内燃機関であって、気流案内手段が、それぞれ開口が貫通しており回動させると開口同士の重なり方が変わるようスリーブバルブ半径方向に沿ってスリーブバルブ外に複数枚同軸配置されたカラーを有し、それらのカラーの開口を通り燃焼室に流入する気流にその開口が渦をもたらすピストン往復型ディーゼル式内燃機関。
【請求項２５】
シリンダヘッド及びそのシリンダヘッドから延びるシリンダ側壁を有するシリンダを備え、シリンダ側壁上の吸気ポートを介しシリンダ内に空気を取り入れシリンダ側壁上の排気ポートを介しシリンダ外に燃焼生成気体を排出するピストン往復型内燃機関を、運転する方法であって、
ピストンとシリンダ側壁に挟まれており複数個のスリーブポートが貫通しているスリーブバルブをシリンダ内で軸沿い摺動させつつ軸心回動させることにより、吸気ポート及び排気ポートに対するスリーブポートの重なり方をスリーブバルブの動きで変化させるステップと、
機関の運転速度又は負荷の変化に応じスリーブバルブの動きを変化させることにより、ピストンの各ストロークにおける吸気ポート及び排気ポートの開閉タイミングを変化させるステップと、
を有する方法。
【請求項２６】
請求項１乃至２４記載のピストン往復型内燃機関であって、別紙明細書及び図面に記載のピストン往復型内燃機関。
【発明の詳細な説明】
【技術分野】
【０００１】
本発明はピストン往復型機関、とりわけその吸気ポート（インテークポート）及び排気ポート（エグゾーストポート）をスリーブバルブで開閉するエンジンに関する。
【背景技術】
【０００２】
スリーブバルブエンジンは１９４０年代及び１９５０年代に航空機で広く用いられたエンジンであり、同じ値段のポペットバルブエンジンに比べ高パワー、省部品点数且つ小型軽量である。既存のスリーブバルブエンジンの中でもＢｕｒｔ−ＭｃＣｏｌｌｕｍ型スリーブバルブエンジンには、ピストンがスリーブ内で往復運動しそのスリーブが更にシリンダ内で楕円運動するため摩擦が少ないという動作上の利点がある。即ち、その外側を囲んでいるボアに対してもその内側にあるピストンに対してもスリーブが静止することがないので、そうした運動を継続することで潤滑剤を摺動面間に常時十分に行き渡らせることができ、従って摩擦が少なくなる。
【０００３】
ポペットバルブエンジンに比べ部品点数が少なく小型で簡素な仕組みになるのは、スリーブバルブエンジンにおけるガス交換が、シリンダヘッドに設けたポートをポペットバルブで閉鎖／開放する仕組みではなく、シリンダ側壁に設けたポートをスリーブで被覆／露出する仕組みを採っているためである。従って、スリーブバルブエンジンでは、ポペットバルブエンジンならばポペットバルブを設けねばならなかったシリンダヘッドに、今やこの部分に設けることが常識となっている他種部品例えば直噴式フュエルインジェクタを、ゆったりと配設することができる。圧縮点火式の機関でも火花点火式の機関でも変わりない。また、シリンダヘッドにポペットバルブを設ける必要がないということは、ポペットバルブエンジンならポペットバルブ及びポートが設けられていた場所に除熱ダクトを設けることができ、従ってシリンダヘッドをより好適に除熱できるということでもある。とりわけ火花点火式の機関では、シリンダヘッドを除熱することにより高負荷運転を安全に行うことができ、プリデトネーション（いわゆるノッキング）も防ぐことができる。
【０００４】
なお、航空機用に製造されたＢｕｒｔ−ＭｃＣｏｌｌｕｍ型スリーブバルブエンジンの多くは４ストロークエンジンである。その例としてはＮａｐｉｅｒ（登録商標）Ｓａｂｒｅ（登録商標）やＢｒｉｓｔｏｌ（登録商標）Ｃｅｎｔａｕｒｕｓ等のエンジンがある。また、より少数ではあるが、Ｒｉｃａｒｄｏ（登録商標）Ｅ．６５やＲｏｌｌｓ−Ｒｏｙｃｅ（登録商標）Ｃｒｅｃｙ等といった２ストロークエンジンも製造されていた。
【発明の開示】
【発明が解決しようとする課題】
【０００５】
ここに、従来のスリーブバルブエンジンでは、スリーブバルブ駆動機構によってスリーブバルブを駆動し２個の折り返し点間を移動させるのであるが、その運転中は常に折り返し点位置が固定されていて、シリンダ内におけるスリーブバルブの軸沿い位置及び角度位置がいずれも変わらなかった。
【課題を解決するための手段】
【０００６】
本発明に係るエンジンは、
シリンダヘッド及びそのシリンダヘッドから延びるシリンダ側壁を有するシリンダであって、シリンダ側壁上の吸気ポートを介し空気を取り入れシリンダ側壁上の排気ポートを介し燃焼生成気体を排出するシリンダと、
複数個のスリーブポートが貫通しておりシリンダ軸沿いに摺動しつつシリンダ軸中心に回動するスリーブバルブであって、吸気ポート及び排気ポートに対するスリーブポートの重なり方をその動きにより変化させることで吸気ポート及び排気ポートを開閉させるスリーブバルブと、
スリーブバルブ内ひいてはシリンダ内で往復運動しシリンダと協働で燃焼室を形成するピストンと、
ピストンのシリンダ内往復運動に同期し駆動することによりシリンダ内でスリーブバルブを軸沿い摺動及び軸心回動させるスリーブバルブ駆動機構と、
を備えるピストン往復型内燃機関であって、スリーブバルブがストローク毎に到達乃至通過する２個の折り返し点の位置が変化するよう、スリーブバルブ駆動機構がスリーブバルブを駆動するものである。
【発明の効果】
【０００７】
本発明によればバルブ動作タイミング可変型スリーブバルブエンジンを提供できる。バルブ動作タイミング可変はエンジン運転の最適化とりわけエミッション及び燃費の低減に役立つ機能であり、昨今のポペットバルブエンジンでは、カムフェーザを１個又は複数個用いエンジン速度及びエンジン負荷の変化に応じインレットバルブやアウトレットバルブの開閉タイミングを変化させることで、これを実現している。
【０００８】
本発明に係るスリーブバルブエンジンによれば、その運転状態が最適になるよう吸気ポート及び排気ポートの開閉タイミングを変化させることができ、ひいてはバルブ動作タイミング可変型ポペットバルブエンジンに比肩する効率を達成することができる。
【発明を実施するための最良の形態】
【０００９】
以下、本発明の好適な実施形態について別紙図面を参照しつつ説明する。
【００１０】
まず、図１に示す実施形態では、シリンダヘッド１２付のシリンダ１０内にスリーブ１３があり、更にそのスリーブ１３内にピストン１４がある。スリーブ１３はシリンダ１０内で軸沿い摺動させつつ軸心回転させることができ、ピストン１４はスリーブ１３内で往復運動させることができる。ピストン１４はコネクティングロッド１５によってエンジンのクランクシャフトに連結されているがこれは図示を省略してある。また、ジャンクヘッドであるシリンダヘッド１２からはシリンダ側壁１６が延びており、その側壁１６と内側のヘッド１２との隙間は環状凹部１７となっていて、スリーブ１３は摺動時にここに滑り込むことがある。更に、ヘッド１２内には（副）燃焼室１８が設けられている。室１８内への燃料噴射は２個のインジェクタ１９及び２０によって行える。
【００１１】
シリンダ側壁１６には吸気ポート２１及び排気ポート２２がそれぞれ約半周に亘り各１個又は複数個設けられている。吸気ポート２１は新鮮な空気をシリンダ１０内に取り入れるためのポートであり、排気ポート２２は燃焼生成気体をシリンダ１０外に排出するためのポートである。他方、スリーブ１３には一群のスリーブポート２３が設けられている。スリーブ１３の動きに伴いポート２３がポート２１及び２２に重なると（位置が揃うと）そのポート２１及び２２がシリンダ１０内に連通し、ポート２３がポート２１及び２２から外れると（位置がずれると）その連通が断たれる。
【００１２】
スリーブバルブ駆動機構は、スリーブ１３がシリンダ１０内で軸沿い摺動しつつ軸心回動するようスリーブ１３を駆動する機構であり、ピストン１４の往復運動に同期しシリンダ１０内でスリーブ１３を往復運動させる。また、この機構は、クランク運動するスリーブドライブシャフト２４、シャフト２４のスロー２６上に可回動実装されたヨークプレート２５、そのプレート２５を連結角度を変化させうるようスリーブ１３に連結する枢動型連結器２７等を有している。
【００１３】
そのヨークプレート２５にはコントロールアーム２８の一端２９が可枢動連結されており、そのアーム２８の他端３０はラジアルアーム３１にやはり可枢動連結されている。アーム３１は、コントロールシャフト３２と一体に回動しうるようシャフト３２から張り出して設けられている。従って、スリーブドライブシャフト２４をクランク運動させることでスロー２６を回すことができ、その状態でアーム２８を作用させることでスロー２６に対するプレート２５の角度を変化させることができる。その結果、スリーブ１３には、シリンダ１０内での上下摺動（矢印３３）だけでなく、回動方向反転を伴うシリンダ１０内での軸心回動（矢印３４）も発生する。
【００１４】
こうしてスリーブバルブ駆動機構により駆動されているとき、スリーブ１３は上下の折り返し点間を往復する。折り返し点位置にはシリンダ軸沿い位置及びシリンダ内角度位置の両成分があり、スロー２６に対するヨークプレート２５の角度を変化させることでいずれの成分も変化させることができる。スロー２６に対するプレート２５の角度は、図示しない電子制御部によってコントロールシャフト３２を制御し、それを軸心回動させることによって、変化させることができる。
【００１５】
運動中のピストン１４による吸気ポート２１及び排気ポート２２の開閉タイミングは、それらのポート２１及び２２にスリーブポート２３が重なるタイミングによって決まるので、シリンダ１０内で摺動及び回動している最中にスリーブ１３の上下折り返し点位置を変化させることで、エンジンの速度及びエンジンに対する負荷の変化に応じポート２１及び２２の開閉タイミングを変化させることができる。
【００１６】
また、吸気ポート２１同士、排気ポート２２同士及びポート２１・２２間は、シリンダブロック上のブリッジによって互いに隔てられている。従って、スリーブ１３の動きが変わると、スリーブポート２３に対するシリンダポート２１及び２２の重複面積、即ち新鮮空気導入及び燃焼生成気体排出に寄与する開口の面積が増減する。図４ａに示したのは重複面積が最大になった状態であり、図４ｂに示したのはより狭まった状態である。
【００１７】
更に、図１に示したエンジンは４ストローク（４工程）エンジンであるので、ドライブシャフト２４の回動速度はエンジンのクランクシャフトの回転速度の１／２にする。そのようにすると、吸入ストロークでは吸気ポート２１がスリーブポート２３に重なって新鮮な空気が導入され、また排気ストロークでは排気ポート２２がポート２３に重なる。残り２ストロークではポート２１及び２２のいずれもポート２３と重ならない。
【００１８】
また、ディーゼルエンジンに（副）燃焼室を設ける場合従来はピストン側に設けるのが普通であったが、ピストン側に設けるとピストンが重くなりその製造難度も高まる。これに対し、図１に示したディーゼルエンジンではシリンダヘッド１２ではなくシリンダ１０に吸気ポート２１及び排気ポート２２を設けているため、それによって発生した余剰空間を利用しヘッド１２内に（副）燃焼室１８を設けることができる。更に、燃焼室１８の形状を工夫することで、吸い込んだ空気中に渦を発生させ、その渦によりディーゼル燃料と空気の混合を促進して燃焼状態を良好にすることができる。また、従来は、ディーゼル燃料をシリンダ内に供給するディーゼルインジェクタを、スペースの都合上１個しか設けられないことが多かったが、このようにヘッド１２に燃焼室１８を設ける構成では２個設けることができる。それらのインジェクタによる燃料供給速度を互いに異なる速度とすることで、そのディーゼルエンジンの有効運転レンジを拡げることができる。
【００１９】
図２に２ストロークガソリンエンジンによる実施形態を示す。このエンジンの動作は図１に示したエンジンのそれと非常によく似ているが、その排気ポート４０が吸気ポート４１より高い位置に設けられている点や、スリーブ４２がピストン４３と同じ速度で摺動及び回動しピストン４３のストローク毎にポート４０及び４１が開いて吸気動作及び燃焼生成気体排出動作が行われ燃焼室内が掃気される点で、異なっている。また、シリンダヘッドは図１の実施形態より単純で、図示の如くスパークプラグ４４及びフュエルインジェクタ４５を備えている。コントロールアーム２８はヨークプレートの下隅ではなく上隅に取り付けられているが、これは単に実装スペース上の都合である。なお、このエンジンは、シリンダ上で吸気ポートが排気ポートより上寄りに位置する構成にすることもできる。
【００２０】
図３に更に他の実施形態を示す。本実施形態におけるスリーブバルブ駆動機構は、ポンプ５１から供給される流体の圧力で作動しその流体をサンプ５２に放つ流体式のアクチュエータ５０及び６０、それらのアクチュエータ５０及び６０における流体の流れを制御するバルブ５３及び６１、それらのバルブ５３及び６１を制御する電子制御部５４等によって構成されている。更に、本実施形態では、シリンダ内におけるジャンクヘッド５５の位置をアクチュエータ５６の動作で変化させシリンダ内圧縮比を変えることができる。アクチュエータ５６はポンプ５９から供給される流体で作動しその流体をサンプ６０に放つよう構成されており、その挙動は電子制御部５８により制御されるバルブ５７によって制御されている。ヘッド５５を可動にすることができるのはポペットバルブ等のバルブを設ける必要がなくて本質的にその構成が単純になるからである。また、このようにシリンダ内圧縮比を可変にすることでエンジン運転条件全般を最適化できることもご理解頂けよう。
【００２１】
対をなすアクチュエータ５０及び６０は、シリンダ内でスリーブがピストンの動きに同期して動き２個の折り返し点間を移動するよう、スリーブをシリンダ内で摺動させ（アクチュエータ５０）また回動させる（アクチュエータ６０）。アクチュエータ５０及び６０はいずれもその一端でスリーブに可枢動連結されているが、シリンダに対する向きは、アクチュエータ５０が軸沿い方向、アクチュエータ６０が接線方向と互いに異なっている。シリンダに対する向きが軸沿い方向のアクチュエータ５０を伸縮させると、スリーブがシリンダ軸沿いに摺動し、またシリンダに対する向きが接線方向のアクチュエータ６０を伸縮させると、スリーブがシリンダに対して回動する。これらのアクチュエータ５０及び６０の動作は電子制御部５４によって精密に制御することができ、従ってエンジンの速度やエンジンに対する負荷の変化に応じ吸気ポート及び排気ポートの開閉タイミングを変化させて前掲の図４ａ及び図４ｂに示した如くポート重複面積を変化させることができる。また、クランク機構ではなくアクチュエータを用いているため、例えば一時停止が指示されているときその折り返し点でスリーブを固定保持する等、クランク機構では実行できない動きをスリーブにさせることができる。
【００２２】
また、図示したアクチュエータ５０及び６０はシリンダの軸上（アクチュエータ５０）及び接線上（アクチュエータ６０）に配置されているが、厳密にそのような配置にする必要はなく、実際には両者が互いに直交しているだけでよい。即ち、アクチュエータ５０の軸とアクチュエータ６０の軸の交差角が９０°でありさえすればアクチュエータ５０及び６０でスリーブを望み通りに動かせるので、シリンダ軸に対するアクチュエータ５０及び６０の角度値そのものは肝要でない。
【００２３】
そして、上掲のいずれのエンジンでも、図５に示すように回動可能な一群のカラー７０，７１，７２をシリンダ周囲に設け、それらを適当な制御機構で回動させる構成を採ることができる。この構成では、各カラーを貫通するスロット状の開口がカラー間で重ならないと、カラーの開口を介しシリンダ内に向かう気流が発生しない。即ち、カラーを互いに回転させて開口同士の重なり方を変化させることで、シリンダ内に向かう気流の流路を変化させ、ひいてはシリンダ内に向かう気流中にその規模を調整しつつ渦を発生させることができる。また、こうしたカラーに代え、気流を横切る何枚かの羽根を設けることによっても、同様の効果を発生させることができる。
【図面の簡単な説明】
【００２４】
【図１】本発明の第１実施形態に係るスリーブバルブエンジンを構成するシリンダのうち１本を示す模式図である。
【図２】本発明の第２実施形態に係るスリーブバルブエンジンを構成するシリンダのうち１本を示す模式図である。
【図３】本発明の第３実施形態に係るスリーブバルブエンジンを構成するシリンダのうち１本を示す模式図である。
【図４ａ】本発明の動作原理を示す模式図である。
【図４ｂ】本発明の動作原理を示す模式図である。
【図５】図１〜図３に示したエンジンにおける吸気流制御に適した回動可能型のカラーの配置を示す図である。
【図１】
2009516124.tif 000003
【図２】
2009516124.tif 000004
【図３】
2009516124.tif 000005
【図４ａ】
2009516124.tif 000006
【図４ｂ】
2009516124.tif 000007
【図５】
2009516124.tif 000008
【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
シリンダヘッド及びそのシリンダヘッドから延びるシリンダ側壁を有するシリンダであって、シリンダ側壁上の吸気ポートを介し空気を取り入れシリンダ側壁上の排気ポートを介し燃焼生成気体を排出するシリンダと、
複数個のスリーブポートが貫通しておりシリンダ軸沿いに摺動しつつシリンダ軸中心に回動するスリーブバルブであって、吸気ポート及び排気ポートに対するスリーブポートの重なり方をその動きにより変化させることで吸気ポート及び排気ポートを開閉させるスリーブバルブと、
スリーブバルブ内ひいてはシリンダ内で往復運動しシリンダと協働で燃焼室を形成するピストンと、
ピストンのシリンダ内往復運動に同期し駆動することによりシリンダ内でスリーブバルブを軸沿い摺動及び軸心回動させるスリーブバルブ駆動機構と、
を備え、スリーブバルブがストローク毎に到達乃至通過する２個の折り返し点の軸方向及び角度方向位置が変化するよう、スリーブバルブ駆動機構がスリーブバルブを駆動するピストン往復型内燃機関。
【請求項２】
請求項１記載のピストン往復型内燃機関であって、スリーブバルブ駆動機構が、
本機関のクランクシャフトに連結されておりクランク運動するシャフトドライブシャフトと、
スリーブドライブシャフトのスロー上に可回動実装されたヨークプレートと、
スリーブバルブに対するヨークプレートの連結角度が変わりスリーブドライブシャフトのスローを中心にスリーブバルブが回動するようヨークプレートをスリーブバルブに連結する連結器と、
ヨークプレートに可枢動連結されたコントロールアームと、
を有し、スリーブバルブが到達乃至通過する２個の折り返し点の位置が変化するよう、ヨークプレートを、コントロールアームの動きによりスリーブドライブシャフトのスローを中心に回動させるピストン往復型内燃機関。
【請求項３】
請求項２記載のピストン往復型内燃機関であって、更に、コントロールシャフトと、コントロールシャフトを軸心回動させる手段と、コントロールシャフトから張り出した状態でコントロールシャフトと一体に回動するようコントロールシャフトに固定されたラジアルアームと、を備え、コントロールアームの一端がヨークプレートにまた他端がラジアルアームにそれぞれ可枢動連結されており、コントロールシャフトを軸心回動させるとコントロールアームが動くピストン往復型内燃機関。
【請求項４】
請求項２又は３記載のピストン往復型内燃機関であって、その運転サイクルが２ストロークサイクルであり、スリーブドライブシャフトが機関運転速度と同速度で回転するピストン往復型内燃機関。
【請求項５】
請求項４記載のピストン往復型内燃機関であって、シリンダが、複数個の吸気ポートがリング状に並ぶ部分と、吸気ポートよりシリンダヘッド寄りにあり複数個の排気ポートが並ぶ部分と、を有するピストン往復型内燃機関。
【請求項６】
請求項２又は３記載のピストン往復型内燃機関であって、その運転サイクルが４ストロークサイクルであり、スリーブドライブシャフトが機関運転速度の１／２の速度で回転するピストン往復型内燃機関。
【請求項７】
請求項６記載のピストン往復型内燃機関であって、吸気ポート及び排気ポートを含め複数個のポートがシリンダの上部にリング状に並び、それらのポートがシリンダ側壁を貫通するピストン往復型内燃機関。
【請求項８】
請求項１記載のピストン往復型内燃機関であって、スリーブバルブ駆動機構が、電気的に制御されスリーブバルブを往復運動させるアクチュエータと、アクチュエータの動作を電気的に制御する制御部と、を有するピストン往復型内燃機関。
【請求項９】
請求項１乃至８のいずれか一項記載のピストン往復型内燃機関であって、シリンダヘッドが、燃焼室内にガソリン燃料を直接噴射するフュエルインジェクタを有するピストン往復型内燃機関。
【請求項１０】
請求項１乃至８のいずれか一項記載のピストン往復型内燃機関であって、その点火方式が圧縮点火方式であり、シリンダヘッド内に、シリンダ内に連通し燃焼室の少なくとも一部として機能する空洞があり、その空洞の形状が、その空洞内に気流の渦をもたらすよう定められており、その渦がフュエルインジェクタによる燃料噴射先となるピストン往復型内燃機関。
【請求項１１】
請求項１０記載のピストン往復型内燃機関であって、シリンダヘッド内の空洞に燃料を噴射するフュエルインジェクタを複数個備えるピストン往復型内燃機関。
【請求項１２】
請求項１乃至１１のいずれか一項記載のピストン往復型内燃機関であって、吸気ポートがシリンダ側壁に複数個あり、シリンダ側壁上の吸気ポート同士及びスリーブ上のスリーブポート同士がブリッジにより分離されており、スリーブバルブ駆動機構によってスリーブバルブの動きを変えることで、吸気ポートに対するスリーブポートの重なり方ひいては燃焼室内に至る空気流入路断面積を変化させるピストン往復型内燃機関。
【請求項１３】
請求項１乃至１２のいずれか一項記載のピストン往復型内燃機関であって、排気ポートがシリンダ側壁に複数個あり、シリンダ側壁上の排気ポート同士及びスリーブ上のスリーブポート同士がブリッジにより分離されており、スリーブバルブ駆動機構によってスリーブバルブの動きを変えることで、排気ポートに対するスリーブポートの重なり方ひいては燃焼室からの燃焼生成気体排出路断面積を変化させるピストン往復型内燃機関。
【請求項１４】
請求項１乃至１３のいずれか一項記載のピストン往復型内燃機関であって、シリンダヘッドをシリンダに対し軸沿い移動させることによりシリンダ内圧縮比を変化させる機構を備えるピストン往復型内燃機関。
【請求項１５】
請求項１乃至１４のいずれか一項記載のピストン往復型内燃機関であって、燃焼室内に流入する気流に渦をもたらす気流案内手段を備えるピストン往復型内燃機関。
【請求項１６】
請求項１５記載のピストン往復型内燃機関であって、気流案内手段が、リング状に複数枚並んだ渦発生用の回転する羽根と、それらの羽根を回転させる制御手段と、を有するピストン往復型内燃機関。
【請求項１７】
請求項１５記載のピストン往復型内燃機関であって、気流案内手段が、それぞれ開口が貫通しており回動させると開口同士の重なり方が変わるようスリーブバルブ外に複数枚同軸配置されたカラーを有し、それらのカラーの開口を通り燃焼室に流入する気流にその開口が渦をもたらすピストン往復型内燃機関。
【請求項１８】
シリンダヘッド及びそのシリンダヘッドから延びるシリンダ側壁を有するシリンダであって、シリンダ側壁上の吸気ポートを介し空気を取り入れシリンダ側壁上の排気ポートを介し燃焼生成気体を排出するシリンダと、
複数個のスリーブポートが貫通しておりシリンダ軸沿いに往復運動しつつシリンダ軸中心に回動するスリーブバルブであって、吸気ポート及び排気ポートに対するスリーブポートの重なり方をその動きにより変化させることで吸気ポート及び排気ポートを開閉させるスリーブバルブと、
スリーブバルブ内ひいてはシリンダ内で往復運動しシリンダと協働で燃焼室を形成するピストンと、
ピストンのシリンダ内往復運動に同期しシリンダ内でスリーブバルブを往復運動させるスリーブバルブ駆動機構と、
を備え、シリンダヘッド内に、シリンダ内に連通し燃焼室の少なくとも一部として機能する空洞があり、その空洞内にフュエルインジェクタにより燃料が噴射されるディーゼルピストン往復型ディーゼル式内燃機関。
【請求項１９】
請求項１８記載のピストン往復型ディーゼル式内燃機関であって、シリンダヘッド内の空洞の形状が、その内部に気体の渦をもたらすよう定められたピストン往復型ディーゼル式内燃機関。
【請求項２０】
請求項１８又は１９記載のピストン往復型ディーゼル式内燃機関であって、シリンダヘッド内の空洞に燃料を噴射するフュエルインジェクタを複数個備えるピストン往復型ディーゼル式内燃機関。
【請求項２１】
請求項１８乃至２０のいずれか一項記載のピストン往復型ディーゼル式内燃機関であって、シリンダヘッドをシリンダに対し軸沿い移動させることによりシリンダ内圧縮比を変化させる機構を備えるピストン往復型ディーゼル式内燃機関。
【請求項２２】
請求項１８乃至２１のいずれか一項記載のピストン往復型ディーゼル式内燃機関であって、燃焼室内に流入する気流に渦をもたらす気流案内手段を備えるピストン往復型ディーゼル式内燃機関。
【請求項２３】
請求項２２記載のピストン往復型ディーゼル式内燃機関であって、気流案内手段が、リング状に複数枚並んだ渦発生用の回転する羽根と、それらの羽根を回転させる制御手段と、を有するピストン往復型ディーゼル式内燃機関。
【請求項２４】
請求項２２記載のピストン往復型ディーゼル式内燃機関であって、気流案内手段が、それぞれ開口が貫通しており回動させると開口同士の重なり方が変わるようスリーブバルブ外に複数枚同軸配置されたカラーを有し、それらのカラーの開口を通り燃焼室に流入する気流にその開口が渦をもたらすピストン往復型ディーゼル式内燃機関。
【請求項２５】
シリンダヘッド及びそのシリンダヘッドから延びるシリンダ側壁を有するシリンダを備え、シリンダ側壁上の吸気ポートを介しシリンダ内に空気を取り入れシリンダ側壁上の排気ポートを介しシリンダ外に燃焼生成気体を排出するピストン往復型内燃機関を、運転する方法であって、
ピストンとシリンダ側壁に挟まれており複数個のスリーブポートが貫通しているスリーブバルブをシリンダの軸沿いに往復運動させることにより、吸気ポート及び排気ポートに対するスリーブポートの重なり方をスリーブバルブの動きで変化させるステップと、
機関の運転速度又は負荷の変化に応じ、２個の折り返し点間でのスリーブバルブの軸方向及び角度方向の動きを変化させることにより、ピストンの各ストロークにおける吸気ポート及び排気ポートの開閉タイミングを変化させるステップと、
を有する方法。
【請求項２６】
請求項１乃至２４記載のピストン往復型内燃機関であって、別紙明細書及び図面に記載のピストン往復型内燃機関。
【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
シリンダヘッド及びそのシリンダヘッドから延びるシリンダ側壁を有するシリンダであって、シリンダ側壁上の吸気ポートを介し空気を取り入れシリンダ側壁上の排気ポートを介し燃焼生成気体を排出するシリンダと、
複数個のスリーブポートが貫通しておりシリンダ軸沿いに摺動しつつシリンダ軸中心に回動するスリーブバルブであって、吸気ポート及び排気ポートに対するスリーブポートの重なり方をその動きにより変化させることで吸気ポート及び排気ポートを開閉させるスリーブバルブと、
スリーブバルブ内ひいてはシリンダ内で往復運動しシリンダと協働で燃焼室を形成するピストンと、
ピストンのシリンダ内往復運動に同期し駆動することによりシリンダ内でスリーブバルブを軸沿い摺動及び軸心回動させるスリーブバルブ駆動機構と、
を備え、スリーブバルブがストローク毎に到達乃至通過する２個の折り返し点の軸方向及び角度方向位置が変化するよう、スリーブバルブ駆動機構がスリーブバルブを駆動するピストン往復型内燃機関。
【請求項２】
請求項１記載のピストン往復型内燃機関であって、スリーブバルブ駆動機構が、
本機関のクランクシャフトに連結されておりクランク運動するスリーブドライブシャフトと、
スリーブドライブシャフトのスロー上に可回動実装されたヨークプレートと、
スリーブバルブに対するヨークプレートの連結角度が変わりスリーブドライブシャフトのスローを中心にスリーブバルブが回動するようヨークプレートをスリーブバルブに連結する連結器と、
ヨークプレートに可枢動連結されたコントロールアームと、
を有し、スリーブバルブが到達乃至通過する２個の折り返し点の位置が変化するよう、ヨークプレートを、コントロールアームの動きによりスリーブドライブシャフトのスローを中心に回動させるピストン往復型内燃機関。
【請求項３】
請求項２記載のピストン往復型内燃機関であって、更に、コントロールシャフトと、コントロールシャフトを軸心回動させる手段と、コントロールシャフトから張り出した状態でコントロールシャフトと一体に回動するようコントロールシャフトに固定されたラジアルアームと、を備え、コントロールアームの一端がヨークプレートにまた他端がラジアルアームにそれぞれ可枢動連結されており、コントロールシャフトを軸心回動させるとコントロールアームが動くピストン往復型内燃機関。
【請求項４】
請求項２又は３記載のピストン往復型内燃機関であって、その運転サイクルが２ストロークサイクルであり、スリーブドライブシャフトが機関運転速度と同速度で回転するピストン往復型内燃機関。
【請求項５】
請求項４記載のピストン往復型内燃機関であって、シリンダが、複数個の吸気ポートがリング状に並ぶ部分と、吸気ポートよりシリンダヘッド寄りにあり複数個の排気ポートが並ぶ部分と、を有するピストン往復型内燃機関。
【請求項６】
請求項２又は３記載のピストン往復型内燃機関であって、その運転サイクルが４ストロークサイクルであり、スリーブドライブシャフトが機関運転速度の１／２の速度で回転するピストン往復型内燃機関。
【請求項７】
請求項６記載のピストン往復型内燃機関であって、吸気ポート及び排気ポートを含め複数個のポートがシリンダの上部にリング状に並び、それらのポートがシリンダ側壁を貫通するピストン往復型内燃機関。
【請求項８】
請求項１記載のピストン往復型内燃機関であって、スリーブバルブ駆動機構が、電気的に制御されスリーブバルブを往復運動させるアクチュエータと、アクチュエータの動作を電気的に制御する制御部と、を有するピストン往復型内燃機関。
【請求項９】
請求項１乃至８のいずれか一項記載のピストン往復型内燃機関であって、シリンダヘッドが、燃焼室内にガソリン燃料を直接噴射するフュエルインジェクタを有するピストン往復型内燃機関。
【請求項１０】
請求項１乃至８のいずれか一項記載のピストン往復型内燃機関であって、その点火方式が圧縮点火方式であり、シリンダヘッド内に、シリンダ内に連通し燃焼室の少なくとも一部として機能する空洞があり、その空洞の形状が、その空洞内に気流の渦をもたらすよう定められており、その渦がフュエルインジェクタによる燃料噴射先となるピストン往復型内燃機関。
【請求項１１】
請求項１０記載のピストン往復型内燃機関であって、シリンダヘッド内の空洞に燃料を噴射するフュエルインジェクタを複数個備えるピストン往復型内燃機関。
【請求項１２】
請求項１乃至１１のいずれか一項記載のピストン往復型内燃機関であって、吸気ポートがシリンダ側壁に複数個あり、シリンダ側壁上の吸気ポート同士及びスリーブ上のスリーブポート同士がブリッジにより分離されており、スリーブバルブ駆動機構によってスリーブバルブの動きを変えることで、吸気ポートに対するスリーブポートの重なり方ひいては燃焼室内に至る空気流入路断面積を変化させるピストン往復型内燃機関。
【請求項１３】
請求項１乃至１２のいずれか一項記載のピストン往復型内燃機関であって、排気ポートがシリンダ側壁に複数個あり、シリンダ側壁上の排気ポート同士及びスリーブ上のスリーブポート同士がブリッジにより分離されており、スリーブバルブ駆動機構によってスリーブバルブの動きを変えることで、排気ポートに対するスリーブポートの重なり方ひいては燃焼室からの燃焼生成気体排出路断面積を変化させるピストン往復型内燃機関。
【請求項１４】
請求項１乃至１３のいずれか一項記載のピストン往復型内燃機関であって、シリンダヘッドをシリンダに対し軸沿い移動させることによりシリンダ内圧縮比を変化させる機構を備えるピストン往復型内燃機関。
【請求項１５】
請求項１乃至１４のいずれか一項記載のピストン往復型内燃機関であって、燃焼室内に流入する気流に渦をもたらす気流案内手段を備えるピストン往復型内燃機関。
【請求項１６】
請求項１５記載のピストン往復型内燃機関であって、気流案内手段が、リング状に複数枚並んだ渦発生用の回転する羽根と、それらの羽根を回転させる制御手段と、を有するピストン往復型内燃機関。
【請求項１７】
請求項１５記載のピストン往復型内燃機関であって、気流案内手段が、それぞれ開口が貫通しており回動させると開口同士の重なり方が変わるようスリーブバルブ外に複数枚同軸配置されたカラーを有し、それらのカラーの開口を通り燃焼室に流入する気流にその開口が渦をもたらすピストン往復型内燃機関。
【請求項１８】
シリンダヘッド及びそのシリンダヘッドから延びるシリンダ側壁を有するシリンダを備え、シリンダ側壁上の吸気ポートを介しシリンダ内に空気を取り入れシリンダ側壁上の排気ポートを介しシリンダ外に燃焼生成気体を排出するピストン往復型内燃機関を、運転する方法であって、
ピストンとシリンダ側壁に挟まれており複数個のスリーブポートが貫通しているスリーブバルブをシリンダの軸沿いに往復運動させることにより、吸気ポート及び排気ポートに対するスリーブポートの重なり方をスリーブバルブの動きで変化させるステップと、
機関の運転速度又は負荷の変化に応じ、２個の折り返し点間でのスリーブバルブの軸方向及び角度方向の動きを変化させることにより、ピストンの各ストロークにおける吸気ポート及び排気ポートの開閉タイミングを変化させるステップと、
を有する方法。
【国際調査報告】
2009516124.tif 000009
2009516124.tif 000010
2009516124.tif 000011
2009516124.tif 000012
2009516124.tif 000013